(57)【要約】      （修正有）【課題】タブレット端末を安定して支持することができ、またタブレット端末を支持するスタンド等の支持具を容易に取り外し可能としつつその構造がシンプルかつコンパクトで安価に作製可能なスタンドシステムを提供する。【解決手段】スタンドシステム１００は、天板４の反使用端４１ｂ側に天板４の上方に突出させてパネル５を配設するとともに、下方に延びる差込部と差込部の上端から天板面４０と略平行に延びる平行部６１と平行部６１の延出端側から上方に起立する起立部６２とを一体的に有する支持具としてのタブレットスタンド６の差込部を天板４とパネル５との間に着脱可能に差し込み、タブレット端末Ｔの下端をタブレットスタンド６の起立部６２に係止させるとともにタブレット端末Ｔの上端をパネル５に立て掛けて傾斜状態で支持可能に構成した。【選択図】図２
2015093082.tif 000002
【特許請求の範囲】
【請求項１】
天板の反使用端側に当該天板の上方に突出させてパネルを配設するとともに、下方に延びる差込部と当該差込部の上端から天板面と略平行に延びる平行部と当該平行部の延出端側から上方に起立する起立部とを一体的に有する支持具の前記差込部を前記天板と前記パネルとの間に着脱可能に差し込み、タブレット端末の下端を前記支持具の起立部に係止させるとともに当該タブレット端末の上端を前記パネルに立て掛けて傾斜状態で支持可能に構成されることを特徴とするスタンドシステム。
【請求項２】
前記天板が芯材と当該芯材上のクッション材により構成されるとともに、前記パネルが当該天板の反使用端に密接に配設されることを特徴とする請求項１記載のスタンドシステム。
【請求項３】
前記支持具の平行部のうち、前記差込部と前記起立部との間の領域が、前記天板の使用端に向けて伸縮可能に構成されることを特徴とする請求項１又は２記載のスタンドシステム。
【請求項４】
前記起立部が、前記天板の前後方向に沿って前記平行部の複数の位置に形成されることを特徴とする請求項１〜３の何れかに記載のスタンドシステム。
【請求項５】
カメラ機能を備えるタブレット端末を支持するものであって、利用者が起立状態でハイテーブルとして使用可能なように前記天板面の高さが設定され、当該天板高さに応じてタブレット端末の撮像高さが設定されることを特徴とする請求項１〜４の何れかに記載のスタンドシステム。
【請求項６】
前記パネルが前記天板の上下方向に突出して延在するものであることを特徴とする請求項１〜５の何れかに記載のスタンドシステム。
【発明の詳細な説明】
【技術分野】
【０００１】
本発明は、タブレット端末を安定して支持することができ、社内の機密保持にもつながるスタンドシステムに関するものである。
【背景技術】
【０００２】
従来、本を立て掛けるための書見台が内蔵されたデスクが知られている（例えば特許文献１）。特許文献１には、背面側に本棚を備え、本を立て掛けていない間はこの本棚を構成する棚の一部として利用可能な略板状の書見台を備えたデスクが開示されている。
【先行技術文献】
【特許文献】
【０００３】
【特許文献１】実開昭５３−５１３０４号公報
【発明の概要】
【発明が解決しようとする課題】
【０００４】
ところで、近年では上記のような書見台は、本を立て掛けるだけでなくタブレット端末を立て掛けることにも利用することが考えられる。書見台にタブレット端末を立て掛けることによって腕で支えることなく天板上に安定させることができることから、タブレット端末のカメラ機能を利用してビデオ通話をするときに特に便利である。
【０００５】
しかしながら、このような書見台は本棚と一体構成であることから構造が複雑であるとともに、天板の幅方向に移動させることができないという不都合な点もあり、改善の余地がある。
【０００６】
このような問題を解決するものとして、図９に示すようなスタンド１０１を天板１０４の背面に備わるデスクトップパネル１０５とともに利用することが考えられる。このスタンド１０１は側面視略Ｓ字状のものであり、上端部をデスクトップパネル１０５に掛止させて、下端部にタブレット端末Ｔを載置することができる。しかしながら、このようなスタンド１０１は、タブレット端末Ｔを天板１０４から浮かせて安定して支えるためにある程度大きい幅寸法Ｌ１０が必要であり、コンパクトにすることができない。そして、このように比較的大きなスタンド１０１が吊り下げられていることでデスクトップパネル１０５の外観が損ねられるという問題があり、何よりもタブレット端末Ｔの操作ができないという難点につながる。
【０００７】
また、図１０に示すようなスタンド１０２も考えられる。このスタンド１０２は、起立部１０２ａの下端から天板奥行き方向に向けて斜め上方に延在する傾斜部１０２ｂと傾斜部１０２ｂの後端から下方に延びる支持部１０２ｃとを有し、起立部１０２ａおよび支持部１０２ｃの下端を天板面１０４Ａに当接させて天板１０４上に載置可能なものである。しかしながら、このようなスタンド１０２であってもタブレット端末Ｔが後方に倒れないように安定して支えるためにある程度大きい幅寸法Ｌ１１および奥行き寸法Ｌ１２が必要であり、コンパクトにすることができない上に天板１０４上の作業領域も狭められるという不具合につながる。
【０００８】
さらに、図１１に示すように、天板１０４の反使用端１４１ｂ側に支柱１０３ａとこの支柱１０３ａから水平に延びるアーム１０３ｂとで構成され、アーム１０３ｂの先端部にタブレット端末Ｔを取付可能にしたディスプレイ取付アーム１０３も考えられる。しかしながら、このようなディスプレイ取付アーム１０３は、コンパクトなものではなくタブレット端末Ｔを使用しない間は邪魔になるとともに高価であり、さらに取り付けに手間が掛かることから天板１０４の幅方向に容易に位置変更することができないという欠点もある。
【０００９】
本発明は、上記のような課題を解消することを目的としており、具体的には、タブレット端末を安定して支持することができ、またタブレット端末を支持するスタンド等の支持具を容易に取り外し可能としつつその構造がシンプルかつコンパクトで安価に作製可能なスタンドシステムを提供することを目的とする。
【００１０】
また、このようなタブレット端末を使用してビデオ通話を行おうとすると、デスク回りやパーティション、壁などには様々な社外秘書類や書き込み、掲示物等が存在するため、機密情報がタブレット端末を介して意図せずに漏えいする危険性もある。このようなことを考えると、タブレットスタンドをセットすることによってセキュリティ性も向上するスタンドシステムであることが更に望ましい。
【００１１】
本発明は、このような課題を併せて解決することをも目的としている。
【課題を解決するための手段】
【００１２】
本発明は、かかる目的を達成するために、次のような手段を講じたものである。
【００１３】
すなわち、本発明のスタンドシステムは、天板の反使用端側に当該天板の上方に突出させてパネルを配設するとともに、下方に延びる差込部と当該差込部の上端から天板面と略平行に延びる平行部と当該平行部の延出端側から上方に起立する起立部とを一体的に有する支持具の前記差込部を前記天板と前記パネルとの間に着脱可能に差し込み、タブレット端末の下端を前記支持具の起立部に係止させるとともに当該タブレット端末の上端を前記パネルに立て掛けて傾斜状態で支持可能に構成されることを特徴とする。
【００１４】
このような構成であることで、支持具の起立部によりタブレット端末の下端の天板奥行き方向への移動が規制され、パネルによりタブレット端末が後方へ倒れることを規制できる。このようにタブレット端末を天板、支持具及びパネルの３つの部材を利用して立て掛けることで、天板やパネルへの特殊な作り込みを一切必要とせずにスタンド機能を実現することができ、支持具の構造もシンプルにして安価に作製することができる。したがって、タブレット端末を安定して立て掛ける機能を有しつつ支持具を容易かつ素早く（クイック）取り付け可能でかつコンパクトなものにすることができ、天板やパネルの外観を損なうこともない。さらに、タブレット端末を立て掛けた状態で当該タブレット端末を使用するうえで好ましい天板奥行き方向の位置と一定の仰角が与えられ、その位置や仰角は支持具の差込部を天板幅方向に移動させても変わらないため、ビデオ通話時にも天板上の任意の位置で安定した使用状態を確保することができる。さらにまた、この支持具は平行部の幅を小さくしてもタブレット端末が少し傾けば天板面に接地して転倒を防止し、差込部の幅を小さくしても差し込み状態が損なわれることがないから、支持具を更にコンパクトに構成することが容易となる。
【００１５】
特に、前記差込部の位置を天板とパネルとの間で安定させるためには、前記天板が芯材と当該芯材上のクッション材により構成されるとともに、前記パネルが当該天板の反使用端に密接に配設されることが望ましい。
【００１６】
大きさが様々なタブレット端末を立て掛けることができるとともに、立て掛ける角度を調整可能にするためには、前記支持具の平行部のうち、前記差込部と前記起立部との間の領域が、前記天板の使用端に向けて伸縮可能に構成されることが好ましい。
【００１７】
或いは、前記起立部が、前記天板の前後方向に沿って前記平行部の複数の位置に形成されることが好ましい。
【００１８】
また、本発明のスタンドシステムがカメラ機能を備えるタブレット端末を支持するものであって、利用者が起立状態でハイテーブルとして使用可能なように前記天板面の高さが設定され、当該天板高さに応じてタブレット端末の撮像高さが設定されるように構成することが望ましい。
【００１９】
このようなハイテーブルを使用すれば、支持具ひいてはタブレット端末の使用位置が比較的高くなる。このような高さ位置にあるタブレット端末でカメラ機能を利用すると、撮影範囲が高い位置に設定されるので、支持具により傾斜状態で支持され、タブレット端末の仰角に対応してカメラに上向きの撮像角が与えられることとあいまって、タブレット端末の使用者を中心にその背後にある部屋の天井は写っても、機密書類が載置あるいは貼り付けられている可能性のあるデスク周りやパーティション、機密事項が書かれている可能性があるホワイトボードなどを取り付け可能な壁は写りにくくすることができる。したがって、タブレット端末を介して機密事項が外部に漏れることを防止してセキュリティ性を向上させることができる。
【００２０】
また、パネルに、デスクトップパネルおよび天幕の機能をも付与するためには、前記パネルが前記天板の上下方向に突出して延在するものであるように構成することが好ましい。
【発明の効果】
【００２１】
本発明は、以上説明した構成であるから、タブレット端末を安定して支持することができ、またタブレット端末を支持する支持具を容易に取り外し可能としつつその構造がシンプルかつコンパクトで安価に作製可能なスタンドシステムを提供することができる。また、天板面の高さをハイテーブル仕様にすれば、撮影範囲を高い位置に設定することができることから、タブレット端末に備わるカメラに上向きの撮像角を与えることができることとあいまって、デスク周りやパーティション、壁などをより写りにくくすることができ、タブレット端末を介して機密事項が外部に漏れることを防止してセキュリティ性を向上させることができる。
【図面の簡単な説明】
【００２２】
【図１】本発明の一実施形態に係るスタンドシステムの使用状態の一例を示す図。
【図２】同スタンドシステムを示す斜視図。
【図３】同スタンドシステムを構成する天板付き家具を示す正面図。
【図４】同スタンドシステムを構成するタブレットスタンドの斜視図。
【図５】同タブレットスタンドの変形例を示す斜視図。
【図６】同タブレットスタンドの変形例を示す斜視図。
【図７】同タブレットスタンドの変形例を示す斜視図。
【図８】同タブレットスタンドの変形例を示す斜視図。
【図９】従来技術に対する解決案としての他のスタンドシステムを示す斜視図。
【図１０】従来技術に対する解決案としての他のスタンドシステムを示す斜視図。
【図１１】従来技術に対する解決案としての他のスタンドシステムを示す斜視図。
【発明を実施するための形態】
【００２３】
以下、本発明の一実施形態を、図面を参照して説明する。
【００２４】
図１，２は、本実施形態のスタンドシステム１００を示している。スタンドシステム１００は、例えばオフィス内に好適に設置することができ、家具付き天板１とタブレットスタンド６とで構成され、カメラ機能等を有するタブレット端末Ｔを安定して立て掛けて使用することで、ビデオ通話等にも便利で、機密保持にもつなげることが可能なものである。
【００２５】
家具付き天板１を構成する天板４は、矩形状の図示しない芯材の上に当該芯材と略同形状の図示しないクッション材を積層し、それらを張り地４Ａで被覆して構成されており、上方からの力に対して適度なクッション性を備えることから、肘などを置いた際に良好な使用感を有するものである。
【００２６】
図２に示すように、このような天板４の一端面４２ａ及び他端面４２ｂと交差する（具体的には略直交する）反使用端４１ｂ側には、天板４よりも上下方向に延在する正面視矩形状のパネル５が設けられている。パネル５は、図示しない芯材の表面に張り地５Ａが貼り付けられて構成されたものであり、図３に示すように、パネル５の幅寸法Ｌ１が天板４の幅寸法Ｌ２と略等しく設定されるとともに、上下寸法Ｌ３が幅寸法Ｌ１よりも大きく設定されている。このパネル５は、詳細には、幅方向一端部５０ａを天板４の一端面４２ａよりも天板４の幅方向中心側に近づけるとともにパネル５の幅方向他端部５０ｂを天板４の他端面４２ｂよりも外方側に突出させて天板４の幅方向中心から遠ざけ、天板４の反使用端４１ｂ側に配置されるパネル領域５ａに対し、天板４から外方側に配置されるパネル領域５ｂが小さくなるように設けられている。
【００２７】
このような天板４の下方には、図３に示すように、四隅に設けられたアジャスタ２１により天板４と平面視略同一形状のベース本体２０が床面から所定の隙間Ｇを介して設置されたベース２が設けられている。このベース本体２０の中央部には、後述する支柱本体３０の内部に形成された配線挿通孔１３０と連通する連通孔１２０が形成されている。
【００２８】
図３に示すように、支柱３は、ベース本体２０から立ち上がって内部に配線挿通孔１３０が形成された円筒状の支柱本体３０と、支柱本体３０の上端に取り付けられた天板支持部３１とから構成される。天板支持部３１は、板金を折り曲げ成形したものであって、天板４よりも幅寸法および奥行き寸法が小さくかつ平面視略矩形状の天板受け１３１ａ上に天板４を載置して支持するものである。天板受け１３１ａには、天板４、支柱本体３０の上端部、および、コンセントＣが固定された図示しないブラケットをねじ等の止着具を利用してそれぞれ固定するための図示しない挿通孔が複数箇所に形成されている。コンセントＣは差し込み口Ｃａを前方に向けた状態で取り付けられており、天板４上にタブレット端末Ｔなどの電子機器を載置した際にはこのコンセントＣから電力を得ることができる。このコンセントＣから延びる配線Ｃｋは、図３に示すように、支柱本体３０の上端部に形成された図示しない開口から配線挿通孔１３０およびベース本体２０に形成された貫通孔１２０を通って外方に引き回される。天板受け１３１ａには、その奥行き方向の一端から下方に向けてパネル取付部１３１ｃが形成されており、パネル取付部１３１ｃは幅方向両端部および中央部にそれぞれ形成された挿通孔１３１ｃａを介して図示しない止着具によりパネル５と固定されている。また、天板受け１３１ａの幅方向一端３１ｂには下方に延びる折曲補強部１３１ｂが形成されている。
【００２９】
このような天板付き家具１は、床面から天板面４ａまでの高さＬ４が９００〜１０５０ｍｍに設定され、一般的（標準的）体格を有する（成人の平均程度の身長を有する）利用者が起立状態で使用可能ないわゆるハイテーブルを構成するものであり、パネル５により囲まれてクッション性を有する天板とともに、起立したまま気軽で自由な姿勢を促すことができる。
【００３０】
以上のような天板付き家具１には、図１，２に示すように、支持具としてのタブレットスタンド６を取り付けることができる。このタブレットスタンド６は矩形状の板金を折り曲げ成形したものであり、図４に示すように下方に延びる差込部６０と、その上端６０ａから差込部６０と直交して延びる平行部６１と、平行部６１の延出端６１ａ側すなわち差込部６０と反対側の端部側（本実施形態では端部）から上方に起立する起立部６２とで構成される。タブレットスタンド６は、差込部６０の高さ寸法Ｌ７が天板４を構成する図示しない芯材から図２に示す天板面４０までの距離以下に設定されており、図２に示すように天板４とパネル５との間に天板４を構成するクッション材を押し広げながら差込部６０を差し込むことで天板付き家具１に密接に取り付けられる。このとき、平行部６１が天板４の反使用端４１ｂから使用端４１ａ側に向けて天板面４０に当接しつつ平行に延びるとともに、起立部６２がパネル５と対向した状態となる。そして、平行部６１および起立部６２にタブレット端末Ｔの下端を当接させるとともに当該タブレット端末Ｔの上端をパネル５に当接させることで、タブレット端末Ｔを傾斜させて立て掛けることができる。
【００３１】
このように天板４およびパネル５と協働してタブレット端末Ｔの立て掛け角度（タグレット内蔵カメラの視野角）を決めるタブレットスタンド６を使用することで好ましい天板奥行き方向の位置と高さと一定の仰角とを与えることができ、その仰角に対応してカメラに上向きの撮像角が与えることができる。そのため、図１に示すような一般的なオフィスの一室であれば使用者の顔や天井９ａを写し、天井９ａは写っても壁９ｂや壁９ｂに貼り付けられた書類ＤおよびホワイトボードＷ等が写りにくくなることから、使用者の背後にある執務用のデスクや当該デスクの天板上に置かれた書類等は勿論のこと、これより背丈の高い位置にある試作品や掲示物なども写りにくくなる。また、このようにパネル５とタブレットスタンド６とでタブレット端末Ｔを支えるため、天板面４０が比較的小さくかつ天板４がクッション性を有するようなものであったとしても、タブレット端末Ｔが天板４から落下しにくい状態となる。また、図１に示すような執務スペース７の自席のデスクｄでは電話やタブレット端末Ｔによるビデオ通話がしづらく、ビデオ会議を設置している会議室等では部屋の予約が必要であるが、天板付き家具１を執務スペース７から離れた位置に設置し、このような位置にある天板付き家具１にタブレットスタンド６を取り付けて使用すれば、タブレット端末Ｔを通じて気軽にビデオ通話を行うことができる。
【００３２】
なお、タブレットスタンド６は、タブレット端末Ｔを立て掛けていない間もそのまま天板付き家具１に取り付けたままの状態にしておいてもよく、天板４の一端面４２ａ側又は他端面４２ｂ側にスライド移動させることも容易で、取り外して他の場所に設置あるいは保管してもよい。タブレットスタンド６を撤去する際は、例えば天板４を構成するクッション材を多少押し付けながら平行部６１の下方に指を差込み、上方に持ち上げることで天板４とパネル５との間から簡単かつ素早く抜き取ることができる。
【００３３】
以上のように本実施形態のスタンドシステム１００は、天板４の反使用端４１ｂ側に当該天板４の上方に突出させてパネル５を配設するとともに、下方に延びる差込部６０と当該差込部６０の上端６０ａから天板面４０と略平行に延びる平行部６１と当該平行部６１の延出端６１ａ側から上方に起立する起立部６２とを一体的に有する支持具としてのタブレットスタンド６の前記差込部６０を前記天板４と前記パネル５との間に着脱可能に差し込み、タブレット端末Ｔの下端を前記タブレットスタンド６の起立部６２に係止させるとともに当該タブレット端末Ｔの上端を前記パネル５に立て掛けて傾斜状態で支持可能に構成したものである。
【００３４】
このような構成であることで、タブレットスタンド６の起立部６２によりタブレット端末Ｔの下端の天板４奥行き方向への移動が規制され、パネル５によりタブレット端末Ｔが後方へ倒れることを規制できる。このようにタブレット端末Ｔを天板４、タブレットスタンド６及びパネル５の３つの部材を利用して立て掛けることで、天板４やパネル５への特殊な作り込みを一切必要とせずにスタンド機能を実現することができ、タブレットスタンド６の構造もシンプルにして安価に作製することができる。したがって、タブレット端末Ｔを安定して立て掛ける機能を有しつつタブレットスタンド６を容易かつ素早く（クイックに）取り付け可能でかつコンパクトなものにすることができ、天板４やパネル５の外観を損なうこともない。さらに、タブレット端末Ｔを立て掛けた状態で当該タブレット端末Ｔを使用するうえで好ましい天板奥行き方向の位置と一定の仰角が与えられ、その位置や仰角はタブレットスタンド６の差込部６０を天板４の幅方向に移動させても変わらないため、ビデオ通話時にも天板４上の任意の位置で安定した使用状態を確保することができる。さらにまた、このタブレットスタンド６は平行部６１の幅を小さくしてもタブレット端末Ｔが少し傾けば天板面４０に接地して転倒を防止し、差込部６０の幅を小さくしても差し込み状態が損なわれることがないから、タブレットスタンド６を更にコンパクトに構成することが容易となる。
【００３５】
特に、前記天板４が芯材と当該芯材上のクッション材により構成されるとともに、前記パネル５が当該天板４の反使用端４１ｂに密接に配設されるように構成したことから、クッション材を押し広げて天板４とパネル５との間にタブレットスタンド６の差込部６０を差し込むことができ、クッション材の弾性により前記差込部６０の位置を天板４とパネル５との間で安定させることができる。また、天板４上面がクッション性を有することから、天板４にひじ等を置いた際にクッション材がパッドの役割を果たし、使用感を良好にすることができる。
【００３６】
また、本実施形態のスタンドシステム１００はカメラ機能を備えるタブレット端末Ｔを支持するものであって、利用者が起立状態でハイテーブルとして使用可能なように前記天板面４０の高さが設定され、当該天板高さに応じてタブレット端末Ｔの撮像高さが設定されるように構成したものである。ハイテーブルは、高さ９００〜１０５０ｍｍのテーブルとして一般に認知されており、このようなハイテーブルの天板４を使用することでタブレットスタンド６ひいてはタブレット端末Ｔの使用位置が比較的高くなる。このような高さ位置にあるタブレット端末Ｔでカメラ機能を利用すると、撮影範囲が高い位置に設定されるので、タブレットスタンド６により傾斜状態で支持され、タブレット端末Ｔの仰角に対応してカメラに上向きの撮像角が与えられることとあいまって、タブレット端末Ｔの使用者を中心にその背後にある部屋の天井９ａは写っても、デスクｄ周りやパーティション、壁９ｂなどは写りにくくなる。デスクｄやパーティション、壁９ｂには機密書類Ｄが載置若しくは貼り付けられていたり、機密事項等が書かれたホワイトボートＷ等が立て掛けられていることがあるが、タブレットスタンド６にタブレット端末Ｔをセットするだけでこれらの機密事項が不慮にタブレット端末Ｔのカメラに写りにくくなることから、無意識のうちにタブレット端末Ｔを介して機密事項が外部に漏れることを防止することができる。
【００３７】
また、前記パネル５が前記天板４の上下方向に突出して延在するように構成したことから、パネル５に、デスクトップパネルおよび天幕の機能をも付与することができる。
【００３８】
以上、本発明の一実施形態について説明したが、各部の具体的な構成は、上述した実施形態のみに限定されるものではなく、本発明の趣旨を逸脱しない範囲で種々変形が可能である。
【００３９】
例えば、本実施形態では、板金を折り曲げ成形したタブレットスタンド６を使用してスタントシステム１００を構成しているが、タブレットスタンド６を樹脂その他の素材により構成してもよいのは勿論である。また、図５に示すような線材１６０ａの両端部を折り曲げて差込部１６３，１６３を形成するとともに、当該線材１６０ａの中央部を折り曲げて図２に示す天板面４０に平行な平行部１６１，１６１および延出端１６１ａ，１６１ａ側に位置する起立部１６２を作製したタブレットスタンド１６０を使用してスタンドシステム１００を構成してもよい。
【００４０】
また、図６に示すように、上部手段２６１及び下部手段２６２とから構成される伸縮可能なタブレットスタンド２６０を使用してスタンドシステム１００を構成してもよい。上部手段２６１は、その延出端（前端）２６１ａ側に起立部２６１ｂが形成され、起立部２６１ｂの後方に平行部２６１ｄが形成されている。また、平行部２６１ｄの幅方向両端部に奥行き方向に延在する調整孔２６１ｃ，２６１ｃが形成されている。下部手段２６２は、その後端２６２ａに差込部２６２ｂが形成され、差込部２６２ｂの前方に平行部２６２ｄが形成されている。また平行部２６２ｄの幅方向両端部にねじ孔２６２ｃ，２６２ｃが形成されている。上部手段２６１及び下部手段２６２は、各平行部２６１ｄ，２６２ｄの一部を重ね合わせつつ調整孔２６１ｃ，２６１ｃおよびねじ孔２６２ｃ，２６２ｃを介して上方からねじ等の止着具２６３，２６３で互いに固定することができ、上部手段２６１は下部手段２６２に対して調整孔２６１ｃ，２６１ｃの延在長さ分だけ前方又は後方にずらすことができる。これによって平行部２６１ｄの延出端２６１ａ側に起立部２６１ｂが位置し、起立部２６１ｂと差込部２６２ｂとの間の領域２６４が伸縮可能になる。
【００４１】
このようにタブレットスタンド２６０の平行部２６１ｄ，２６２ｄのうち、差込部２６２ｂと起立部２６１ｂとの間の領域２６４が、前記天板４の使用端４１ａ（図２参照）に向けて伸縮可能に構成されていることでも、大きさが様々なタブレット端末Ｔを立て掛けることができるとともに、立て掛ける角度を調整することができる。
【００４２】
また、図７に示すように、起立部３６３ａ，３６３ｂ，３６３ｃが天板４（図２等参照）の奥行き方向に沿って差込部３６１から平行部３６２の延出端３６２ａ側へ変位した複数の位置に形成されたタブレットスタンド３６０を使用してスタンドシステム１００を構成してもよく、これによっても大きさが様々なタブレット端末Ｔを立て掛けることができるとともに、立て掛ける角度を調整することができる。さらには、板金を折り曲げ形成したものではなく、図７に示すタブレットスタンド３６０のように樹脂やアルミニウムで作製されたものであってもよい。
【００４３】
さらに、図８に示すように、平行部４６１を比較的厚く形成し、そこに平行部４６１の幅方向に延びる溝４６１ａ，４６１ｂ，４６１ｃを天板４（図２等参照）の奥行き方向に沿って差込部４６２から延出端４６１ｄ側へ変位した位置に複数形成したタブレットスタンド４６０を使用してスタンドシステム１００を構成してもよい。この場合、各溝４６１ａ，４６１ｂ，４６１ｃを構成する前後の壁面のうち前側の壁面が起立部４６１ａｂを構成することになる。
【００４４】
またさらに本実施形態では、スタンドシステム１００を構成する天板４はクッション性を有するものであるが、これに限定されず、木製、メラミン樹脂製、スチール製のものであってもよい。ただ、パネル５にウレタン樹脂等の比較的柔らかい材料を使用することで、天板４とパネル５との間にタブレットスタンド６を差し込む際にウレタン樹脂が変形して容易に着脱することができる利点がある。一方、天板４をクッション性に乏しい素材で構成する場合には、天板４とパネル５の間にタブレットスタンド６を差し込むための溝を形成することでタブレットスタンド６を容易に着脱可能とすることができる。
【００４５】
以上において、スタンドシステム１００はタブレット端末Ｔ以外の板状部材を立て掛けることにも利用可能なものであり、黒板消しやペン等の小物をタブレットスタンド６、１６０、２６０、３６０、４６０の上に載置してもよい。
【００４６】
その他の構成も、本発明の趣旨を逸脱しない範囲で種々変形が可能である。
【符号の説明】
【００４７】
４・・・天板
５・・・パネル
６、１６０、２６０、３６０、４６０・・・支持具（タブレットスタンド）
４０・・・天板面
４１ｂ・・・反使用端
６０、１６３、２６２ｂ、３６１、４６２・・・差込部
６０ａ・・・差込部の上端
６１、１６１、２６１ｄ、２６２ｄ、３６２、４６１・・・平行部
６１ａ、１６１ａ、２６１ａ、３６２ａ、４６１ｄ・・・延出端
６２、１６２、２６１ｂ、３６３ａ，３６３ｂ，３６３ｃ、４６１ａｂ・・・起立部
Ｔ・・・タブレット端末
１００・・・スタンドシステム
２６４・・・領域
【図１】
2015093082.tif 000003
【図２】
2015093082.tif 000004
【図３】
2015093082.tif 000005
【図４】
2015093082.tif 000006
【図５】
2015093082.tif 000007
【図６】
2015093082.tif 000008
【図７】
2015093082.tif 000009
【図８】
2015093082.tif 000010
【図９】
2015093082.tif 000011
【図１０】
2015093082.tif 000012
【図１１】
2015093082.tif 000013